(57)【特許請求の範囲】
【請求項１】
前吹出口が設けられるフレームと、
２つであり、前記フレームの左端及び右端にそれぞれ設けられたエンドカバーであって、少なくとも１つの前記エンドカバーの底部に前上方へ折り曲げた延在部が設けられ、前記延在部が前記フレームの前側に位置して前記フレームとともに補助吹出通路を画定し、前記少なくとも１つのエンドカバーに前記補助吹出通路と連通した側部吹出口が設けられ、空気調和機において前記延在部の外側、かつ、前記前吹出口に対向する位置に前記フレームにより保持される導風板が開閉する過程で前記導風板は前記延在部の前面と接触し、前記延在部の前面には間隔をあけている複数の溝を有するエンドカバーと、を含む、
ことを特徴とする空気調和機のケーシングアセンブリ。
【請求項２】
２つの前記エンドカバーは、いずれも前上方へ折り曲げた前記延在部を有し、各前記延在部が前記フレームとともにいずれも前記補助吹出通路を画定し、各前記エンドカバーには対応する前記補助吹出通路と連通した前記側部吹出口が設けられ、各前記延在部の前面には間隔をあけている複数の溝を有する、
ことを特徴とする請求項１に記載の空気調和機のケーシングアセンブリ。
【請求項３】
前記溝は、左右方向に沿って延在する、
ことを特徴とする請求項１または２に記載の空気調和機のケーシングアセンブリ。
【請求項４】
複数の前記溝は、前記延在部の延在方向に沿って間隔をあけている、
ことを特徴とする請求項３に記載の空気調和機のケーシングアセンブリ。
【請求項５】
前記フレームと前記エンドカバーとの一方に係合フックが設けられ、前記フレームと前記エンドカバーとの他方に前記係合フックと結合される係合溝が設けられる、
ことを特徴とする請求項１〜４のいずれか１項に記載の空気調和機のケーシングアセンブリ。
【請求項６】
前記係合フックは、複数であり、
前記係合溝は、複数であり、複数の前記係合フックと一対一で対応する、
ことを特徴とする請求項５に記載の空気調和機のケーシングアセンブリ。
【請求項７】
前記フレームに左右方向に沿って延在するガイド溝が設けられ、前記エンドカバーに前記ガイド溝と結合されるガイド突起が設けられる、
ことを特徴とする請求項１〜６のいずれか１項に記載の空気調和機のケーシングアセンブリ。
【請求項８】
前記ガイド溝の入口端の端部の少なくとも１つの側壁は、ガイド斜面を有する、
ことを特徴とする請求項７に記載の空気調和機のケーシングアセンブリ。
【請求項９】
前記ガイド突起は、前記延在部の自由端の端部に設けられる、
ことを特徴とする請求項７に記載の空気調和機のケーシングアセンブリ。
【請求項１０】
空気調和機であって、
請求項１〜９のいずれか１項に記載の空気調和機のケーシングアセンブリと、
前記延在部の外側、かつ、前記前吹出口に対向する位置に前記フレームにより保持され、開閉する過程で前記延在部の前面に接触する導風板と、を含む、
ことを特徴とする空気調和機。
【発明の詳細な説明】
【関連出願の相互参照】
【０００１】
本開示は、出願番号が２０１８２０１８１５５９.２、出願日が２０１８年０１月３１日の中国特許出願に基づいて提出され、上記中国特許出願の優先権を主張し、それらの全内容が引用により本開示に組み込まれる。
【技術分野】
【０００２】
本開示は、空気調和機技術分野に関し、特に空気調和機のケーシングアセンブリ及び空気調和機に関する。
【背景技術】
【０００３】
関連技術では、コアンダ効果による空気調和機の熱交換効率への影響を減らすために、空気調和機の側壁面のエンドカバーにデフレクタを設け、空気調和機が運転停止したとき、デフレクタと外側導風板とが密着する。導風板が開閉中に、デフレクタとの間の摩擦によりデフレクタに傷をつけやすく、その外観に影響を与え、そしてデフレクタ自体の構造強度がより低く、耐用年数がより短い。
【発明の概要】
【発明が解決しようとする課題】
【０００４】
本開示は、従来の技術に存在する技術的問題の少なくとも１つを解決することを意図している。そのため、本開示は構造が簡単であり、熱交換効率が高い空気調和機のケーシングアセンブリを提供する。
【０００５】
本開示は、更に、上記ケーシングアセンブリを含む空気調和機を提供する。
【課題を解決するための手段】
【０００６】
本開示の実施例に係る空気調和機のケーシングアセンブリは、前吹出口が設けられるフレームと、２つであり、前記フレームの左端及び右端にそれぞれ設けられたエンドカバーであって、少なくとも１つの前記エンドカバーの底部に前上方へ折り曲げた延在部が設けられ、前記延在部が前記フレームの前側に位置して前記フレームとともに補助吹出通路を画定し、前記少なくとも１つのエンドカバーに前記補助吹出通路と連通した側部吹出口が設けられ、空気調和機において前記延在部の外側、かつ、前記前吹出口に対向する位置に前記フレームにより保持される導風板が開閉する過程で前記導風板は前記延在部の前面と接触し、前記延在部の前面に間隔をあけている複数の溝を有するエンドカバーと、を含む。
【０００７】
本開示の実施例に係る空気調和機のケーシングアセンブリは、エンドカバー底部の延在部の前面に間隔をあけている複数の溝を設けることにより、エンドカバーの構造強度を高め、空気調和機の外観を美しくする。また、延在部外側の導風板を閉じる時、延在部に傷をつけにくいため、延在部の耐用年数を延ばす。
【０００８】
本開示のいくつかの実施例によれば、２つの前記エンドカバーはいずれも前上方へ折り曲げた前記延在部を有し、各前記延在部が前記フレームとともにいずれも前記補助吹出通路を画定し、各前記エンドカバーには対応する前記補助吹出通路と連通した前記側部吹出口が設けられ、各前記延在部の前面には間隔をあけている複数の溝を有する。
【０００９】
本開示のいくつかの実施例によれば、前記溝は左右方向に沿って延在する。
【００１０】
本開示のいくつかの実施例によれば、複数の前記溝は前記延在部の延在方向に沿って間隔をあけている。
【００１１】
本開示のいくつかの実施例によれば、前記フレームと前記エンドカバーとの一方に係合フックが設けられ、前記フレームと前記エンドカバーとの他方に前記係合フックと結合される係合溝が設けられる。
【００１２】
さらに、前記係合溝は複数で、且つ複数の前記係合フックと一対一で対応する。
【００１３】
本開示のいくつかの実施例によれば、前記フレームに左右方向に沿って延在するガイド溝が設けられ、前記エンドカバーに前記ガイド溝と結合されるガイド突起が設けられる。
【００１４】
更に、前記ガイド溝の入口端の端部の少なくとも１つの側壁は、ガイド斜面を有する。
【００１５】
本開示のいくつかの実施例においては、前記ガイド突起は前記延在部の自由端の端部に設けられる。
【００１６】
本開示の空気調和機によれば、前記ケーシングアセンブリと、前記延在部の外側、かつ、前記前吹出口に対向する位置に前記フレームにより保持され、開閉する過程で前記延在部の前面に接触する導風板と、を含む。
【発明の効果】
【００１７】
本開示の実施例に係る空気調和機は、エンドカバーの底部の延在部の前面に間隔をあけている複数の溝を設けることにより、エンドカバーの構造強度を高め、空気調和機の外観性を高める。また、延在部外側導風板を閉じる時、延在部に傷をつけにくいため、延在部の耐用年数が延びる。
【００１８】
本開示の追加の態様及び利点は、以下の説明において部分的に説明され、その一部は、以下の説明から明らかになるか、または本開示を実施することによって把握できる。
【図面の簡単な説明】
【００１９】
本開示の上記及び／または追加の態様及び利点は、以下の図面を参照しながら実施例を説明することによって明らかで容易に理解できるようになる。
【００２０】
【図１】本願の実施例に係る空気調和機の構造模式図である。
【図２】図１におけるＡで示される部分の拡大図である。
【図３】本願の実施例に係る空気調和機のケーシングアセンブリのエンドカバーの構造模式図である。
【図４】図３においてＢで示される部分の拡大図である。
【図５】本願の実施例に係る空気調和機の構造模式図で、ここで、導風板は図示されていない。
【図６】図５においてＣで示される部分の拡大図である。
【図７】本願の実施例に係る空気調和機のケーシングアセンブリのフレームの構造模式図である。
【図８】本願の実施例に係る空気調和機の断面模式図である。
【発明を実施するための形態】
【００２１】
以下、本開示の実施例を詳細に説明し、前記実施例の例は、図面に示され、図面を通じて同じまたは類似した符号は、同じまたは類似した素子または同じまたは類似機能を有する素子を示す。以下、図面を参照しながら説明する実施例は、例示的なものであり、本開示を解釈するためのものにすぎず、本開示を制限するものとして理解すべきではない。
【００２２】
本開示の説明において、「長さ」、「上」、「下」、「前」、「後」、「左」、「右」等の用語が示す方位または位置関係は、図面に示される方位または位置関係に基づき、本開示を説明及び簡単に説明するものであり、所定の装置または素子は必ず特定な方位を有し、特定な方位で構造及び操作しなければならないことを指示または示唆するものではないため、本開示に対する制限として理解されるべきではない。これにより、「第１」、「第２」の限定された特徴は、１つまたは複数のこの特徴を明確または曖昧に含んでも良い。本開示の説明において、特に具体的に限定されない限り、「複数」は、２つ以上を意図する。
【００２３】
本開示の説明において、説明すべきは、特に明確に規定や限定しない限り、「取り付け」、「つながる」、「接続」という用語を広義に理解すべきである。例えば、常時接続、取り外し可能な接続、または一体的接続でもよいし、機械的接続、電気的接続でもよいし、直接つながり、中間物によって間接つながってもよいし、２つの素子内部の連通でもよい。当業者であれば、具体的な状況に応じて、上記用語の本発明での具体的な意味を理解することができる。
【００２４】
以下、図１〜図８を参照して、本開示の実施例に係るケーシングアセンブリ１００を説明する。
【００２５】
図１〜図８に示すように、本開示の実施例に係るケーシングアセンブリ１００は、フレーム１とエンドカバー２を含む。
【００２６】
具体的に、図１と図５、図７に示すように、フレーム１に前吹出口１１が設けられ、前吹出口１１はフレーム１の前側の底部に位置することができ、且つ前吹出口１１はフレーム１の長手方向（図１に示される左右方向）に沿って延在することができる。前吹出口１１は気流に対してガイド作用があり、空気調和機１０００が生成した冷却空気または加熱空気はフレーム１の前吹出口１１を介して室内に流れることができる。
【００２７】
図２〜図４と図７に示すように、エンドカバー２は２つで、フレーム１の左端（図１に示される左端）と右端（図１に示される右端）にそれぞれ設けられ、少なくとも１つのエンドカバー２の底部に前上方へ折り曲げた延在部２１を有し（フレーム１の左端に位置するエンドカバー２の底部に前上方へ折り曲げた延在部２１を有し、またはフレーム１の右端に位置するエンドカバー２の底部に前上方へ折り曲げた延在部２１を有し、またはフレーム１の左端に位置するエンドカバー２及びフレーム１右端に位置するエンドカバー２の底部にいずれも前上方に折り曲げた延在部２１を有する）、延在部２１はフレーム１の前側に位置し且つフレーム１と共に補助吹出通路を画定し、延在部２１が設けられているエンドカバー２に補助吹出通路と連通した側部吹出口２２が設けられ、気流は側部吹出口２２を介して室内に流れることができる。
【００２８】
図３〜図６に示すように、延在部２１の前面に間隔をあけている複数の溝２１１があって、エンドカバー２とフレーム１と補助吹出通路を形成し、延在部２１の強度が低下し、延在部２１に設けられている溝２１１は延在部２１の構造強度を高めることができるため、エンドカバー２の構造強度を高め、空気調和機１０００の作動の信頼性を高める。また、導風板２００を開閉する過程において、延在部２１の前面は導風板２００の内面と摩擦を生じやすく、延在部２１の前面に設けられている溝２１１は導風板２００を開閉する過程において、延在部２１の前面に傷を付けることを回避することができる。または、延在部２１の前面に溝２１１が設けられ、導風板２００を開けている状態で、空気調和機１０００の外観を美しくする。
【００２９】
本開示の実施例に係る空気調和機１０００のケーシングアセンブリ１００は、エンドカバー２底部の延在部２１の前面に間隔をあけている複数の溝２１１を設けることにより、エンドカバー２の構造強度を高め、空気調和機１０００の外観を美しくする。また、延在部２１外側の導風板２００を閉じる時、延在部２１が導風板によって傷をつけられにくいため、延在部２１の耐用年数が延びる。
【００３０】
本開示のいくつかの実施例によれば、図５〜図７に示すように、２つのエンドカバー２はいずれも前上方へ折り曲げた延在部２１があって、各延在部２１がフレーム１とともにいずれも補助吹出通路を画定し、各エンドカバー２には対応する補助吹出通路に連通した側部吹出口２２があって、各延在部２１の前面に間隔をあけている複数の溝２１１がある。
【００３１】
これにより、空気調和機１０００の吹出範囲を大きくし、ユーザーの快適さを高め、同時に、フレーム１の左端（図５に示される左端）エンドカバー２及び右端（図５に示される右端）エンドカバー２の構造の強度を高め、空気調和機１０００の作動の信頼性を高める。また、導風板２００を開けている状態で、空気調和機１０００の外観を美しくし、且つエンドカバー２の延在部２１が、導風板２００を閉じる時に導風板２００に傷つけられることを回避する。
【００３２】
本開示のいくつかの実施例によれば、図５と図６に示すように、溝２１１は左右方向（図５に示される左右方向）に沿って延在する。これにより、延在部２１の構造強度を高めるだけではなく、延在部２１の耐用年数も延長し、さらに、エンドカバー２の加工工程を簡約化することができ、生産サイクルを短縮し、生産コストを低下する。当然ながら、本開示はこれに限定されず、溝２１１は更に延在部２１の延在方向に沿って延在でき、または溝２１１の延在方向は水平方向即ち左右方向との間に一定の角度を成すことができる。
【００３３】
本開示のいくつかの実施例によれば、図５及び図６に示すように、複数の溝２１１は延在部２１の延在方向（図６に示される上下方向）に沿って間隔をあけている。これにより、更に延在部２１の構造強度を高め、延在部２１の耐用年数を延ばし、更にエンドカバー２の加工工程を簡約化し、生産サイクルを短縮し、生産コストを低下することができる。
【００３４】
本開示のいくつかの実施例によれば、図３と図５、図７に示すように、フレーム１とエンドカバー２との一方に係合フック３が設けられ、フレーム１とエンドカバー２との他方に係合フック３と結合する係合溝４が設けられる。係合フック３と係合溝４とが結合されることにより、フレーム１とエンドカバー２との装着を達成し、且つその他の部品（例えばボルト、ネジ）を利用せずに、フレーム１とエンドカバー２の接続と固定を達成することができ、更にエンドカバー２の装着効率を高め、メンテナンスと取り外しがしやすくなる。例えば、図３と図７に示す実施例において、エンドカバー２に係合フック３が設けられ、フレーム１に係合溝４が設けられる。
【００３５】
本開示のいくつかの実施例によれば、図３と図５、図７に示すように、係合フック３は複数であり、係合溝４は複数で、且つ複数の係合フック３と一対一で対応する。これにより、フレーム１とエンドカバー２の接続強度を高め、フレーム１とエンドカバー２とを更に密着させ、空気調和機１０００の作動過程において、エンドカバー２とフレーム１の間で揺れることを回避し、更に空気調和機１０００の作動過程に発生した騒音を軽減し、ユーザーが利用する快適さを高める。
【００３６】
本開示のいくつかの実施例によれば、図３〜図７に示すように、フレーム１に左右方向（図７に示される左右方向）に沿って延在するガイド溝５が設けられ、エンドカバー２にガイド溝５と嵌め合うガイド突起６が設けられる。エンドカバー２のガイド突起６は、フレーム１のガイド溝５内でスライドでき、フレーム１とエンドカバー２の間で接続しやすいように、エンドカバー２の取り付けにガイド作用を果たす。
【００３７】
本開示のいくつかの実施例によれば、図１と図３、図４に示すように、ガイド突起６は延在部２１の自由端の端部に設けられる。これにより、延在部２１の自由端とフレーム１を更に密着させ、延在部２１がフレーム１に向けて外へ傾くことを回避し、空気調和機１０００の外観性を高め、同時に補助吹出通路の密閉性を高める。
【００３８】
本開示のいくつかの実施例によれば、図４と図５、図７に示すように、ガイド溝５の入口端の端部の少なくとも１つの側壁にガイド斜面５１がある。これにより、フレーム１とエンドカバー２とを装着する時、ガイド斜面５１はガイド突起６とガイド溝５の間の装着に対してガイド作用を果たすため、フレーム１とエンドカバー２の間の装着難易度を低下し、装着の効率を高める。
【００３９】
以下、図１〜図８を参照し、本開示の実施例によるケーシングアセンブリ１００を説明する。理解すべきことは、下記の説明は例示的であり、本開示を解釈するために用いられており、本開示を制限すると理解してはならない。
【００４０】
図１〜図８に示すように、本開示の実施例に係るケーシングアセンブリ１００は、フレーム１とエンドカバー２を含む。
【００４１】
図３〜図８に示すように、フレーム１に前吹出口１１が設けられ、前吹出口１１はフレーム１の底部に近づき、且つ前吹出口１１はフレーム１の長手方向（図５に示される左右方向）に沿って延在する。エンドカバー２は２つで、フレーム１の左端（図５に示される左端）及び右端（図５に示される右端）にそれぞれ設けられ、各エンドカバー２の底部にいずれも前上方へ折り曲げた延在部２１がある。また、エンドカバー２に複数の係合フック３が設けられ、フレーム１に複数の係合溝４が設けられ、複数の係合溝４が複数の係合フック３と一対一で対応し、且つ係合フック３と係合溝４とが結合される。
【００４２】
図３と図５、図７に示すように、延在部２１はフレーム１の前側に位置し、且つフレーム１と共に補助吹出通路を画定し、各エンドカバー２にいずれも補助吹出通路と連通する側部吹出口２２が設けられ、延在部２１の前面に延在部２１の延在方向に沿って間隔を開けている複数の溝２１１があって、且つ溝２１１はケーシングアセンブリ１００の左右方向（図５に示される左右方向）に沿って延在する。
【００４３】
図５〜図８に示すように、フレーム１に左右方向（図７に示される左右方向）に沿って延在するガイド溝５が設けられ、ガイド溝５の入口端の端部の側壁にガイド斜面５１があって、延在部２１の自由端の端部にガイド溝５と嵌め合うガイド突起６が設けられる。
【００４４】
以下、図１〜図８を参照し、本開示の実施例に係る空気調和機１０００を説明する。
【００４５】
図１と図３、図４に示すように、本開示の空気調和機１０００は、ケーシングアセンブリ１００、導風板２００、台座、前パネルと後パネルを含む。ここで、導風板２００はケーシングアセンブリの延在部２１の外側に位置し、導風板２００に間隔をあけている複数の導風孔７が均一に設けられる。
【００４６】
本開示の実施例に係る空気調和機１０００は、エンドカバー２底部の延在部２１の前面に間隔をあけている複数の溝２１１を設けることにより、エンドカバー２の構造強度を高め、空気調和機１０００の外観性を高める。また、延在部２１外側の導風板２００を閉じる時に、延在部２１は導風板に傷つけられにくいため、延在部２１の耐用年数が延びる。
【００４７】
本明細書の説明において、用語「一実施例」、「いくつかの実施例」、「例示的な実施例」、「例」、「具体例」、または「いくつかの例」等を参照した説明は、該実施例または例と組み合わせて説明されている特定の特徴、構造、材料または特性が、本開示の少なくとも１つの実施例または例に含まれることを意味する。本明細書において、上記用語の例示的な表現は、必ずしも同じ実施例または例を意味するわけではない。さらに、説明された特定の特徴、構造、材料または特性が、任意の１つまたは複数の実施例または例においては適切な組み合わせで一体化されていてもよい。
【００４８】
本開示の実施例を例示して説明したが、当業者であれば、本開示の原理や精神から逸脱することなく、これらの実施例に対して様々な変更、改定、置換や変形を行うことができ、本開示の範囲が特許請求の範囲及びその等価物により限定されることが理解できる。
【符号の説明】
【００４９】
１０００  空気調和機
１００  ケーシングアセンブリ
１  フレーム
１１  前吹出口
２  エンドカバー
２１  延在部
２１１  溝
２２  側部吹出口
３  係合フック
４  係合溝
５  ガイド溝
５１  ガイド斜面
６  ガイド突起
２００  導風板
７  導風孔
【図１】
0006975801.tif 000002
【図２】
0006975801.tif 000003
【図３】
0006975801.tif 000004
【図４】
0006975801.tif 000005
【図５】
0006975801.tif 000006
【図６】
0006975801.tif 000007
【図７】
0006975801.tif 000008
【図８】
0006975801.tif 000009